(57)【要約】【課題】穀粒タンク内で偏りの少ない状態に脱穀粒を投擲できるコンバインを提供すること。【解決手段】刈取穀稈を脱穀処理する脱穀装置と、脱穀粒を貯留する穀粒タンク５と、脱穀粒を搬送して穀粒タンク５の内部に吐出する搬送装置と、吐出された脱穀粒の吐出軌道上に設けられ、脱穀粒の進行方向を変更する案内部６と、を備える。【選択図】図４
2019004866.tif 000002
【特許請求の範囲】
【請求項１】
刈取穀稈を脱穀処理する脱穀装置と、
脱穀粒を貯留する穀粒タンクと、
脱穀粒を搬送して前記穀粒タンクの内部に吐出する搬送装置と、
吐出された脱穀粒の吐出軌道上に設けられ、脱穀粒の進行方向を変更する案内部と、が備えられたコンバイン。
【請求項２】
前記進行方向を調整する方向調整機構が備えられた請求項１に記載のコンバイン。
【請求項３】
前記方向調整機構は、多段階に前記進行方向を調整可能である請求項２に記載のコンバイン。
【請求項４】
前記案内部は、前記穀粒タンクの天板に支持されている請求項１〜３のいずれか１項に記載のコンバイン。
【請求項５】
前記天板に点検口部が備えられ、
前記案内部は、前記点検口部を開閉する蓋体に設けられている請求項４に記載のコンバイン。
【請求項６】
前記天板に点検口部が備えられ、
前記案内部は、前記点検口部の近傍に設けられている請求項４に記載のコンバイン。
【請求項７】
前記案内部に、基部と、前記基部を保護するライナーと、が備えられている請求項１〜６のいずれか１項に記載のコンバイン。
【発明の詳細な説明】
【技術分野】
【０００１】
本発明は、刈取穀稈を脱穀処理する脱穀装置と、脱穀粒を貯留する穀粒タンクと、脱穀粒を搬送して前記穀粒タンクの内部に吐出する搬送装置とが備えられたコンバインに関する。
【背景技術】
【０００２】
従来、この種のコンバインに備えられている搬送装置としては、横方向に延びるスクリューコンベアの先端部に設けられている羽根部の水平軸回りの回転によって、穀粒タンクの内部に設けられている吐出口から、穀粒タンク内部の後方側へ脱穀粒を吐出するように構成されているものや（例えば、特許文献１参照）、あるいは縦方向に延びるスクリューコンベアの先端部に設けられている羽根部の鉛直軸回りの回転によって、穀粒タンクの内部に設けられている吐出口から、当該吐出口の前方領域に脱穀粒を吐出するように構成されているものが知られている（例えば、特許文献２参照）。
【先行技術文献】
【特許文献】
【０００３】
【特許文献１】特開２０１７−０４６６４１号公報（図１１参照）
【特許文献２】特開２０１４−０６８５６２号公報（図４参照）
【発明の概要】
【発明が解決しようとする課題】
【０００４】
上述の、羽根部の水平軸回りの回転によって穀粒タンク内部の後方側へ脱穀粒を吐出する構成の場合、吐出された脱穀粒の少なくとも一部が穀粒タンクの天板に当たることによって、穀粒タンク内部の後方側に投擲され難くなり、結果として、穀粒タンクの内部の前後方向において脱穀粒の偏りが生じてしまうことがある。
【０００５】
また、羽根部の鉛直軸回りの回転によって吐出口の前方領域に脱穀粒を吐出する構成の場合、吐出口の前方領域と比べて、吐出口の左右両側の領域への投擲量が相対的にではあるが少なくなることがある。即ち、脱穀装置側の穀粒タンク側壁の前後方向中間部分に吐出口が設けられている場合、穀粒タンクの内部の前方側及び後方側への投擲量が相対的に少なくなることがあり、この場合も結果として、穀粒タンクの内部において脱穀粒の偏りが生じてしまうことがある。
【０００６】
特に、脱穀粒の量に対応する荷重を検出して脱穀粒の搬送収量を計測する搬送穀粒計測装置が、吐出口の近傍に設置されている場合、脱穀粒が搬送穀粒計測装置に案内されるような状態となり、穀粒タンクの天板、あるいは吐出口の前方領域に投擲され易くなるため、上述の脱穀粒の偏りがより顕著に現れることになる。
【０００７】
従って、本発明の目的は、上記問題点を解消し、穀粒タンク内で偏りの少ない状態に脱穀粒を投擲できるコンバインを提供することにある。
【課題を解決するための手段】
【０００８】
本発明の特徴は、刈取穀稈を脱穀処理する脱穀装置と、
脱穀粒を貯留する穀粒タンクと、
脱穀粒を搬送して前記穀粒タンクの内部に吐出する搬送装置と、
吐出された脱穀粒の吐出軌道上に設けられ、脱穀粒の進行方向を変更する案内部と、が備えられているところにある。
【０００９】
本発明によれば、吐出された脱穀粒の吐出軌道上に、脱穀粒の進行方向を変更する案内部が設けられているため、穀粒タンク内における脱穀粒の投擲方向を変更することができる。
【００１０】
従って、羽根部の水平軸回りの回転によって穀粒タンク内部の後方側へ脱穀粒を吐出する構成の場合、吐出された脱穀粒が、穀粒タンクの天板の方向に一旦は投擲されたとしても、案内部によりその進行方向が変更され、天板に当たることが防止されて、穀粒タンク内部の後方側に投擲され易くなるため、投擲された脱穀粒が、穀粒タンク内で偏るのを防止して、バランスの良い分布状態で貯留することができるようになる。
【００１１】
また、羽根部の鉛直軸回りの回転によって吐出口の前方領域に脱穀粒を吐出する構成の場合、吐出された脱穀粒が、吐出口の前方領域の方向に一旦は投擲されたとしても、案内部によりその進行方向が変更され、吐出口の左右両側の領域、即ち穀粒タンクの内部の前方側及び後方側に投擲され易くなるため、この場合についても、投擲された脱穀粒が、穀粒タンク内で偏るのを防止して、バランスの良い分布状態で貯留することができるようになる。
【００１２】
本発明においては、前記進行方向を調整する方向調整機構が備えられると好適である。
【００１３】
本構成によれば、方向調整機構によって脱穀粒の進行方向を様々な方向に変更することができる。そのため、例えば、投擲された脱穀粒が、穀粒タンク内のある領域に偏り始めたら、脱穀粒の進行方向を別の方向に適宜変更して、穀粒タンク内の別の領域に投擲されるようにすることが可能となる。そのため脱穀粒が偏るのをより確実に防止して、バランスの良い分布状態で貯留することができるようになる。また、案内部によって案内される脱穀粒の進行方向については、その作物の種類や状態によって異なる場合があるので、方向調整機構が備えられていることによって、より好適な方向に脱穀粒が投擲されるように調節し易くなる。
【００１４】
本発明においては、前記方向調整機構は、多段階に前記進行方向を調整可能であると好適である。
【００１５】
本構成によれば、方向調整機構が多段階に調整可能であることから、脱穀粒の進行方向を段階的により細かく設定することが可能であり、脱穀粒の偏りをより確実に防止することができる。
【００１６】
本発明においては、前記案内部は、前記穀粒タンクの天板に支持されていると好適である。
【００１７】
本構成によれば、穀粒タンクの天板に案内部が支持されているため、案内部の設置スペースが必要最小限で済み、脱穀粒の貯留空間を十分に確保することができる。
【００１８】
本発明においては、前記天板に点検口部が備えられ、前記案内部は、前記点検口部を開閉する蓋体に設けられていると好適である。
【００１９】
本構成によれば、点検口部を開閉する蓋体に案内部が設けられているため、案内部のメンテナンス等を実施する際は、蓋体を取り外すことによって容易に実施することができる。
【００２０】
本発明においては、前記天板に点検口部が備えられ、前記案内部は、前記点検口部の近傍に設けられていると好適である。
【００２１】
本構成によれば、点検口部の近傍に案内部が設けられているため、案内部のメンテナンス等を実施する際は、作業者が点検口部を介して容易に実施することができる。
【００２２】
本発明においては、前記案内部に、基部と、前記基部を保護するライナーと、が備えられていると好適である。
【００２３】
本構成によれば、基部を保護するライナーが案内部に備えられているため、摩耗による劣化が案内部に生じたとき、ライナーのみを交換すれば良いため、ライナーを備えていない場合と比べて、メンテナンス作業がより簡素化される。
【図面の簡単な説明】
【００２４】
【図１】コンバインの右側面図である。
【図２】コンバインの平面図である。
【図３】コンバインにおける搬送装置と穀粒タンクとを示す背面視説明図である。
【図４】コンバインにおける穀粒放出装置と案内部とを示す側面視説明図である。
【図５】コンバインにおける穀粒放出装置と案内部とを示す背面視説明図である。
【図６】穀粒放出装置から吐出された脱穀粒の吐出軌道を説明する説明図である。
【図７】案内部の別実施形態を示す平面視説明図である。
【図８】案内部の別実施形態を示す側面視説明図である。
【図９】案内部のその他の実施形態を示す側面視説明図である。
【図１０】案内部のその他の実施形態を示す平面視説明図である。
【図１１】コンバインのその他の実施形態における搬送装置と穀粒タンクとを示す背面視説明図である。
【発明を実施するための形態】
【００２５】
図面を用いて、本発明によるコンバイン１の具体的な実施形態の１つを説明する。
図１は、コンバイン１の一例である普通型コンバイン１の側面図であり、図２は平面図である。このコンバイン１は、溝形材や角パイプ材などの複数の鋼材を連結した機体フレーム８を備えている。機体フレーム８の下部には左右一対のクローラ式の走行装置９を装備している。機体フレーム８における右半部の前側には、エンジン１１が搭載され、その上部にキャビン構成の運転部１０が形成されている。
【００２６】
機体フレーム８の前部には、刈取部２が昇降自在に装備されており、機体フレーム８の後部には、刈取部２から供給された刈取穀稈を脱穀処理する脱穀装置３と、脱穀粒を搬送して穀粒タンク５の内部に吐出する搬送装置と、脱穀粒を貯留する穀粒タンク５と、穀粒タンク５に貯留された脱穀粒を外部へ排出するアンローダ１２とが装備されている。
【００２７】
刈取部２は、機体横向きの横軸芯Ｘ１回りに上下昇降可能に構成されており、旋回時などの非収穫作業時には刈取部２は上昇状態となり、収穫作業時には圃場面に近接した下降状態となる。刈取部２には、植立穀稈を梳き分ける左右一対のデバイダ２０と、回転駆動されることにより植立穀稈を後方へ掻き込む掻込リール２１と、掻込リール２１によって掻き込まれた植立穀稈を刈る刈刃装置２２と、刈刃装置２２によって刈られた刈取穀稈を後方へ送るオーガドラム２３と、オーガドラム２３から送られた刈取穀稈を脱穀装置３の前端部へ搬送するフィーダ２４とが備えられている。
【００２８】
脱穀装置３は、フィーダ２４から供給を受けた刈取穀稈を、回転駆動される扱胴３０によって脱穀処理するように構成されている。
【００２９】
図３に示すように、搬送装置４は、脱穀装置３の底部に設けられた一番物回収スクリュー４０と揚送コンベア４１と横送りコンベア４２と穀粒放出装置４９とを含み、エンジン１１からの動力を受けて駆動するように構成されている。揚送コンベア４１は、脱穀装置３から排出された脱穀粒を上方に送るために、ほぼ垂直に立設されている。揚送コンベア４１は、駆動スプロケット４３と従動スプロケット（図示せず）とにわたって巻き掛けられた無端回動チェーン４４の外周側に複数のバケット４５が一定間隔で取り付けられているバケットコンベヤである。
【００３０】
揚送コンベア４１は、脱穀装置３から排出された脱穀粒を上方に送るバケットコンベヤである。横送りコンベア４２は、揚送コンベア４１の搬送終端部と接続されており、揚送コンベア４１から移送された脱穀粒を穀粒タンク５の内部に送り込むスクリューコンベヤである。横送りコンベア４２は、揚送コンベア４１の上端部から横向きに延びて穀粒タンク５の左側壁５２における前側の上部に差し込まれており、外周部は、断面形状円形（八角形やその他の多角形でもよい）のケーシング４６で包囲されている。横送りコンベア４２は、スクリュー軸４７と、このスクリュー軸４７に固定されたスクリュー体４８とを備えている。
【００３１】
図４に示すように、横送りコンベア４２の終端領域に、脱穀粒を穀粒タンク５の内部に拡散放出する穀粒放出装置４９が設けられている。穀粒放出装置４９は、放出回転体４１２と放出回転体４１２の周囲を覆う放出ケース４１１とを備えている。放出回転体４１２は、スクリュー軸４７から延長された回転軸４１３と、回転軸４１３に設けられた羽根板４１４からなる回転羽根である。羽根板４１４は、回転軸４１３から径外方向に突出するように回転軸４１３に固定されている。羽根板４１４は、その回転方向に脱穀粒を押し出していく実質的に平坦な押し出し面を有している。放出ケース４１１は、羽根板４１４の回転軌跡より少し大きな内径を有する円筒形である。放出ケース４１１の周面の一部が切り欠かれている。この切り欠きによって、羽根板４１４の回転によって脱穀粒を穀粒タンク５の内部における後方側へ放出する穀粒放出口４１０が形成されている。
【００３２】
スクリュー軸４７と回転軸４１３とは、横軸芯Ｘ２回りに一体回転する。その回転方向は、この実施形態においては、横軸芯Ｘ２に沿ってスクリュー軸４７の基端側から先端側を向く視線を基準にした左回転に設定されている。つまり、羽根板４１４は、図４において反時計回り（水平軸回り）に回転する。
【００３３】
図４及び図５に示すように、穀粒放出口４１０は、放出ケース４１１の軸方向において、ほぼ羽根板４１４の幅で、放出ケース４１１の周方向において下端から回転方向でほぼ３分の一円周の長さにわたる切り欠き開口である。羽根板４１４で押し送りされてきた脱穀粒はこの穀粒放出口４１０を通じて、放出ケース４１１から穀粒タンク５の内部に放出される。
【００３４】
穀粒放出口４１０の下側には、荷重検出器７が設置されている。荷重検出器７は、穀粒タンク５の右側壁５１の支持部材７１から左側壁５２の支持部材７１に亘って架設されたステー７２に固定されている。荷重検出器７は、押圧作用部７０にかかる荷重を検出するように構成されており、押圧作用部７０にロードセルが設けられている。羽根板４１４による脱穀粒の放出時に、羽根板４１４の回転力による脱穀粒への押圧が脱穀粒を介して押圧作用部７０に伝達される。この押圧による圧力が押圧作用部７０にひずみを生じさせる。羽根板４１４による脱穀粒への押圧は、搬送装置４によって搬送されてくる脱穀粒の量が多くなるほど、大きくなる。したがって、押圧作用部７０のひずみによりロードセルに生じる電気信号は、搬送されてくる脱穀粒の量（収穫された脱穀粒の量：収量）に依存する強さを有することになるので、搬送されてくる脱穀粒の変動や量を評価するための検出信号として取り扱うことができる。
【００３５】
図３に示すように、穀粒放出口４１０の下方には、脱穀粒の食味を測定する食味測定装置１５が設けられている。食味測定装置１５の食味測定容器１５１内に一時的に脱穀粒を貯留し、脱穀粒に対する分光測定を通じて、水分やタンパクなどの穀粒成分を測定するように構成されている。
【００３６】
尚、横送りコンベア４２により搬送されてきた脱穀粒は、水平投射された物体が自由落下するときと同様の軌道で落下しようとするため、食味測定装置１５は、穀粒放出口４１０の直下ではなく、穀粒タンク５の右側壁５１の側に少し寄せた位置に設けられている。これにより、食味測定装置１５の食味測定容器１５１内に脱穀粒を効率よく溜めることができる。
【００３７】
穀粒タンク５は、機体フレーム８上の右後部に配置されており、脱穀装置３の右横隣側で、運転部１０の後方側に位置している。脱穀装置３から穀粒タンク５に脱穀粒を供給する揚送コンベヤ４１が脱穀装置３と穀粒タンク５との間に配置されている。
【００３８】
図２に示すように、穀粒タンク５の天板部５０の後ろ側には、点検口部５３が開口されている。点検口部５３には、これを開閉するための蓋体５４が設けられており、蓋体５４は、蝶番５５によって揺動開閉可能に構成されている。尚、蓋体５４には、穀粒タンクの内部の穀粒貯留状態を外部から確認できるように、透明な合成樹脂板等により構成される透明窓部５６が備えられている。
【００３９】
図４及び図５に示すように、穀粒タンク５の天板部５０には、平板状の案内部６が支持されている。本実施形態では、穀粒タンクの天板部５０に案内部６が支持されているため、案内部６の設置スペースが必要最小限で済み、脱穀粒の貯留空間を十分に確保することができる。
【００４０】
案内部６は、連結部６０を介して回転棒６１に溶接されており、回転棒６１は、天板部５０に固定された支持部材６２によって横軸芯Ｘ３回りに回転可能に支持されている。回転棒６１は、その一端が穀粒タンクの左側壁５２に形成されている貫通孔（図示せず）を突き抜けた状態で設けられており、回転棒６１の端部に操作用レバー６３が設けられている。
【００４１】
図２及び図４に示すように、案内部６は、穀粒放出装置４９の上方且つ後方に設けられている。また案内部６の左右の横幅は、少なくとも穀粒放出装置４９の横幅よりも大きく設定されている。
【００４２】
図４に示すように、案内部６は、穀粒放出装置４９から吐出された脱穀粒の吐出軌道上に設けられており、脱穀粒の進行方向を変更するように構成されている。本実施形態においては、穀粒放出装置４９から吐出された脱穀粒の案内部６に対する入射角Ａ１と反射角Ａ２が、案内部６が設けられていない場合における、穀粒放出装置４９から吐出された脱穀粒の穀粒タンク５の天板部５０に対する入射角ａ１と反射角ａ２よりも大きくなるように設定されている（Ａ１＞ａ１、Ａ２＞ａ２）。
【００４３】
上記構成により、図４及び図６に示すように、穀粒放出装置４９から吐出された脱穀粒Ｋが、穀粒タンク５の天板部５０の方向に一旦は投擲されたとしても、案内部６によりその進行方向が変更され、天板部５０に当たることが防止されて、穀粒タンク５内部の後方側（図４及び図６の紙面右側）に投擲され易くなるため、投擲された脱穀粒Ｋが、穀粒タンク５内で偏るのを防止して、バランスの良い分布状態で貯留することができるようになる。
【００４４】
本実施形態においては、操作用レバー６３を回転棒６１の横軸芯Ｘ３回りに回転させることによって、回転棒６１と連結部６０と案内部６とが横軸芯Ｘ３回りに一体回転することができるように構成されている。従って、操作用レバー６３を操作することによって案内部６の角度を変更することが可能であり、これにより脱穀粒の進行方向を調整することができる。即ち、本実施形態では、脱穀粒の進行方向を調整する方向調整機構が、支持部材、回転棒６１、連結部６０、及び操作用レバー６３を備えて構成されている。
【００４５】
上記構成によれば、方向調整機構によって脱穀粒の進行方向を様々な方向に変更することができる。そのため、例えば、投擲された脱穀粒が、穀粒タンク５内のある領域に偏り始めたら、脱穀粒の進行方向を別の方向に適宜変更して、穀粒タンク５内の別の領域に投擲されるようにすることが可能となる。そのため脱穀粒が偏るのをより確実に防止して、バランスの良い分布状態で貯留することができるようになる。また、案内部６によって案内される脱穀粒の進行方向については、その作物の種類や状態によって異なる場合があるので、方向調整機構が備えられていることによって、より好適な方向に脱穀粒が投擲されるように調節し易くなる。
【００４６】
尚、方向調整機構については、上述の構成に限定されるものではなく、図示しないが、その他にも例えば、案内部６を、その前端と後端の２点で吊り下げ支持し、それぞれにおける吊り下げ距離を手動で調節可能（例えば、複数のボルト穴を備えるステーと、ボルトとを組み合わせて、ボルトを挿通させる穴を変更することによってステーの長さを調節する等）にすることによって構成しても良いし、モーター等を使用して電動的に方向調整可能に構成しても良いし、あるいは、手動若しくは電動によらず公知の自動テンション方式を利用して方向調整可能に構成しても良い。
【００４７】
方向調整機構は、多段階に進行方向を調整可能に構成されていることが望ましい。例えば、上述の実施形態では、操作用レバー６３の横軸芯Ｘ３回りの角度を段階的に変更・保持できるような公知の構成を採用すると良い。
【００４８】
上記構成によれば、方向調整機構が多段階に調整可能であることから、脱穀粒の進行方向を段階的により細かく設定することが可能であり、脱穀粒の偏りをより確実に防止することができる。
【００４９】
尚、方向調整機構については必要に応じて設けるようにしても良い。即ち、案内部６が穀粒タンク５の天板部５０に固定されており、その角度を変更できないように構成されていても良い。
【００５０】
案内部６を設ける位置については、上述の実施形態に限られるものではなく、図示しないが、他にも例えば、点検口部５３を穀粒タンク５の天板部５０の前側に設けて、当該点検口部５３を開閉する蓋体５４に案内部６を設ける構成としても良いし、あるいは、当該点検口部５３の近傍に設ける構成としても良い。蓋体５４に案内部６を設ける構成の場合、案内部６のメンテナンス等を実施する際は、蓋体５４を取り外すことによって容易に実施することができる。また、点検口部５３の近傍に案内部６を設ける場合、案内部６のメンテナンス等を実施する際は、作業者が点検口部５３を介して容易に実施することができる。
【００５１】
特に、案内部６を蓋体５４に設ける場合、貯留した脱穀粒の上昇圧が案内部６にかかるのを防ぐために、例えば適当な棒部材とその棒部材を挟持する板バネによって、蓋体５４の閉じ姿勢が保持されるように構成し、脱穀粒による所定の上昇圧が蓋体５４に作用することによって、蓋体５４が押し上げられて、棒部材が板バネから外れて蓋体５４が開けられるように構成すると良い。
【００５２】
案内部６に、基部と、基部を保護するライナーと、が備えられていることが望ましい。この場合、ライナーは、案内部６の基部において、穀粒放出装置から吐出された脱穀粒が当たる面を覆うように設けられる。
【００５３】
上記構成によれば、基部を保護するライナーが案内部６に備えられているため、摩耗による劣化が案内部６に生じたとき、ライナーのみを交換すれば良いため、ライナーを備えていない場合と比べて、メンテナンス作業がより簡素化される。
【００５４】
案内部６が天板部５０の所定の位置に固定されている形態に限らず、穀粒タンクの天板部５０の前後左右方向において、設定位置を変更できるように構成されていても良い。また、案内部６が、荷重検出器の押圧作用部を兼ねるような構成としても良い。
【００５５】
〔別実施形態〕
穀粒放出装置４９の形態は、コンバイン１の種類によって異なるので、本発明では、穀粒放出装置４９の形態、押圧作用部７０と荷重検出器７との形状及び配置は、上述した実施形態に限定されない。
【００５６】
例えば、図７と図８では、脱穀装置３の底部から脱穀粒Ｋを穀粒タンク５の上方に搬送するスクリューコンベア式の揚送コンベア４１の上端に穀粒放出装置４９が設けられている。穀粒放出装置４９は、揚送コンベア４１を構成するスクリューコンベア４１５の軸体４１６の上端に、軸方向に沿って設けられた羽根板４１７と、この羽根板４１７を覆う羽根カバー４１８とを備えている。羽根カバー４１８は、羽根板４１７の回転軌跡（鉛直軸回りの回転）の穀粒タンク５の内部を向いている部分に対向する領域を開口しており、この開口が脱穀粒Ｋの穀粒放出口４１０となる。スクリューコンベア４１５で搬送されてきた脱穀粒Ｋは、鉛直軸回りに回転する羽根板４１７によって、穀粒放出口４１０から穀粒タンク５内に向けて跳ね飛ばされる。
【００５７】
羽根カバー４１８の側壁で、穀粒放出時に羽根板４１７との間に脱穀粒Ｋを挟み込む箇所に、板状の押圧作用部７０と、ロードセルによる荷重検出器７とが取り付けられている。揚送コンベア４１で搬送されてきた脱穀粒Ｋは、羽根板４１７によって羽根カバー４１８の側壁に押し付けられるので、脱穀粒Ｋの量に対応する荷重が押圧作用部７０に掛かる。荷重検出器７（ロードセル）は、この側壁に掛かる荷重を検出する。
【００５８】
本別実施形態において、穀粒タンクの天板部５０には、平面視において「く」の字型をした平板状の案内部６が支持されている。案内部６は、その屈曲箇所において回転棒６１に溶接されており、回転棒６１は、縦軸芯Ｘ４回りに回転可能に天板部５０に支持されている。回転棒６１は、その一端が穀粒タンクの天板部５０に形成されている貫通孔（図示せず）を突き抜けた状態で設けられており、回転棒６１の端部に操作用レバー６３が設けられている。
【００５９】
図７に示すように、穀粒タンクの左側壁５２の前後方向中間部分に穀粒放出装置４９が設けられている。案内部６は、穀粒放出装置４９における穀粒放出口４１０の前方、即ち穀粒タンク５の右側壁５１の側に設けられている。
【００６０】
案内部６は、穀粒放出装置４９から吐出された脱穀粒の吐出軌道上に設けられており、脱穀粒の進行方向を変更するように構成されている。本別実施形態においては、吐出された脱穀粒が、穀粒放出装置４９の穀粒放出口４１０の前方領域の方向に一旦は投擲されたとしても、案内部６によりその進行方向が変更され、穀粒タンク５の内部の後方側（図７及び図８の紙面右側）に投擲されるように構成されている。これにより、投擲された脱穀粒Ｋが、穀粒タンク５内で偏るのを防止して、バランスの良い分布状態で貯留することができるようになる。
【００６１】
案内部６の形状については、上述の形状に限定されるものではなく、平面視において円弧状の曲面を有するものであっても良い。
【００６２】
本別実施形態においては、操作用レバー６３を回転棒６１の縦軸芯Ｘ４回りに回転させることによって、回転棒６１と案内部６とが縦軸芯Ｘ４回りに一体回転することができるように構成されている。従って、操作用レバー６３を操作することによって案内部６の角度を変更することが可能であり、これにより脱穀粒の進行方向を調整することができる。即ち、本実施形態では、脱穀粒の進行方向を調整する方向調整機構が、回転棒６１と操作用レバー６３とを備えて構成されている。
【００６３】
尚、方向調整機構については、先の実施形態と同様に、手動によるもの、電動によるもの、あるいは、手動若しくは電動によらず公知の自動テンション方式を利用して方向調整可能に構成しても良い。
【００６４】
方向調整機構は、先の実施形態と同様に、多段階に進行方向を調整可能に構成されていることが望ましい。例えば、上述の別実施形態では、操作用レバー６３の縦軸芯Ｘ４回りの角度を段階的に変更・保持できるような公知の構成を採用すると良い。
【００６５】
尚、方向調整機構については、先の実施形態と同様に、必要に応じて設けるようにしても良い。即ち、案内部６が穀粒タンク５の天板部５０に固定されており、その角度を変更できないように構成されていても良い。
【００６６】
案内部６を設ける位置についても先の実施形態と同様に、点検口部５３を開閉する蓋体５４に案内部６を設ける構成としても良いし、あるいは、点検口部５３の近傍に設ける構成としても良い。特に、案内部６を蓋体５４に設ける場合、貯留した脱穀粒の上昇圧が案内部６にかかるのを防ぐために、例えば適当な棒部材とその棒部材を挟持する板バネによって、蓋体５４の閉じ姿勢が保持されるように構成し、脱穀粒による所定の上昇圧が蓋体５４に作用することによって、蓋体５４が押し上げられて、棒部材が板バネから外れて蓋体５４が開けられるように構成すると良い。
【００６７】
図示しないが、案内部６には、基部と、基部を保護するライナーと、が備えられていることが望ましい。この場合、ライナーは、案内部６の基部において、穀粒放出装置から吐出された脱穀粒が当たる面を覆うように設けられる。
【００６８】
案内部６が天板部５０の所定の位置に固定されている形態に限らず、穀粒タンクの天板部５０の前後左右方向において、設定位置を変更できるように構成されていても良い。また、案内部６が、荷重検出器の押圧作用部を兼ねるような構成としても良い。
【００６９】
〔その他の実施形態〕
１．図９にてＷ１で示されるように、上述の先の実施形態における案内部６が、側面視において、穀粒放出装置４９の放出ケース４１１（図４参照）の上側先端部分と、放出ケース４１１の上方において前後方向で重複する構成としても良い。この構成より、側面視において、穀粒放出装置４９と案内部６との間の隙間が無くなるため、穀粒放出口４１０から放出された脱穀粒の一部が、当該隙間を通過して案内部６の上面に溜まってロスしてしまうことを防止することができる。尚、図９に示される案内部６に関するその他の構成については、上述の先の実施形態と同様である。
【００７０】
２．図１０にてＷ２で示されるように、上述の別実施形態における案内部６が、平面視において、穀粒放出装置４９の穀粒放出口４１０と、穀粒タンク５内部の前方側（図１０の紙面左側）で重複する構成としても良い。この構成より、平面視において、穀粒放出装置４９と案内部６との間の隙間が無くなるため、穀粒放出口４１０から放出された脱穀粒が、当該隙間を抜けることなく、より確実に案内部６により進行方向が変更されて、穀粒タンク５の内部の後方側（図１０の紙面右側）に投擲される。尚、図１０に示される案内部６に関するその他の構成については、上述の別実施形態と同様である。
【００７１】
３．上述の先の実施形態では、穀粒放出口４１０の下側に荷重検出器７を設置して、脱穀粒からの押圧力を検出することによって脱穀粒の収量を測定する構成が記載されているが、この構成に限定されるものではなく、他にも例えば、スクリュー軸４７にかかる負荷を検出することによって、脱穀粒の収量を測定するようにしても良い。
【００７２】
詳細には、例えば図１１に示されるように、エンジン動力から独立したアクチュエータとしての電動モータＭと、スクリュー軸４７の回転数を検出する回転センサーＳとを、スクリュー軸４７に設ける。この構成において、電動モータＭの動力によって、回転数が一定となるようにスクリュー軸４７を回転させると、搬送されてくる脱穀粒の量が多くなるほど、スクリュー軸４７にかかる負荷が増大して回転数が減少する。従って、脱穀粒の量とスクリュー軸４７の回転数との対応関係を検量線として予め算出しておけば、回転センサーＳの検出値から、脱穀粒の収量を測定することができる。
【００７３】
また、図１１に示される構成では、スクリュー軸４７のみを電動モータＭによって、エンジン動力とは独立して回転させるように構成したが、これに限らず、一番物回収スクリュー４０、揚送コンベア４１、及び横送りコンベア４２のスクリュー軸４７の全てを電動モータＭによって、エンジン動力とは独立して回転させるように構成して、例えば、スクリュー軸４７だけでなく、一番物回収スクリュー４０の回転数を検出するような構成としても良い。
【００７４】
また、上述の構成における回転センサーＳの代わりに、例えば、トルクセンサーを設けて、検出トルクに基づいてスクリュー軸４７にかかる負荷を算出して脱穀粒の収量を測定するようにしても良い。
【００７５】
また、このようなスクリュー軸４７にかかる負荷を検出する構成と、先の実施形態における荷重検出器７とを組み合わせても良いし、或いは、それぞれを単独で設ける構成としても良い。
【００７６】
また図示しないが、上述のスクリュー軸４７にかかる負荷を検出する構成については、別実施形態における、スクリューコンベア４１５の軸体４１６に適用しても良い。
【００７７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００７８】
当該コンバインは、普通型コンバインに替えて自脱型コンバインにも利用することができる。
【符号の説明】
【００７９】
３      ：脱穀装置
３０    ：扱胴
４      ：搬送装置
４０    ：一番物回収スクリュー
４１    ：揚送コンベヤ
４２    ：横送りコンベヤ
４３    ：駆動スプロケット
４４    ：無端回動チェーン
４５    ：バケット
４６    ：ケーシング
４７    ：スクリュー軸
４８    ：スクリュー体
４９    ：穀粒放出装置
４１０  ：穀粒放出口
４１１  ：放出ケース
４１２  ：放出回転体
４１３  ：回転軸
４１４  ：羽根板
４１５  ：スクリューコンベア
４１６  ：軸体
４１７  ：羽根板
４１８  ：羽根カバー
５      ：穀粒タンク
５０    ：天板部（天板）
５１    ：右側壁
５２    ：左側壁
５３    ：点検口部
５４    ：蓋体
５５    ：蝶番
５６    ：透明窓部
６      ：案内部
６０    ：連結部
６１    ：回転棒
６２    ：支持部材
６３    ：操作用レバー
Ｋ      ：脱穀粒
【図１】
2019004866.tif 000003
【図２】
2019004866.tif 000004
【図３】
2019004866.tif 000005
【図４】
2019004866.tif 000006
【図５】
2019004866.tif 000007
【図６】
2019004866.tif 000008
【図７】
2019004866.tif 000009
【図８】
2019004866.tif 000010
【図９】
2019004866.tif 000011
【図１０】
2019004866.tif 000012
【図１１】
2019004866.tif 000013